(57)【特許請求の範囲】
【請求項１】
略水平に配置される長フレーム部と下方に延びる短フレーム部とを備えるガイドフレームと、
前記短フレーム部の下端に固定され、上面視で前記長フレーム部の長手方向と略直交する方向に沿って設けられる第１締結面を備える第１締結ユニットと、
前記長フレーム部に装着され前記長フレーム部に沿って摺動可能な第２締結ユニットと、を有し、
前記第１締結ユニットは、
前記短フレーム部の下端に固定され、前記第２締結ユニット側の側面に前記第１締結面が形成されるベース体と、
前記ベース体上面に固定され、一端が前記第１締結面側から突出する据付け片と、
前記ベース体に取り付けられる締め具と、
を有し、
前記第２締結ユニットは、
前記長フレーム部と略平行に配置される締結用ネジ軸と、
上端側に前記長フレーム部が摺動自在に挿入される挿通孔が形成され、下端側に前記締結用ネジ軸が螺合するネジ孔が設けられ、前記長フレーム部及び前記締結用ネジ軸に略直交して配置されるスライドアームと、
を有し、
前記ベース体と前記締め具とによりメジャーテープの端部を挟み込んで保持する挟持手段を構成する、ことを特徴とする墨出し補助器具。
【請求項２】
前記墨出し補助器具は、前記第１締結ユニットに着脱自在に装着される拡張ユニット、
を有し、
前記第１締結ユニットは、
前記ベース体が、上面視で前記長フレーム部の長手方向と略直交する方向に開口する角筒を備えるとともに、
前記ベース体の上面から前記角筒の内部に向けて貫通する固定用ネジ孔と、
前記固定用ネジ孔に螺合するネジ部材と、
を有し、
前記拡張ユニットは、
長方形状の拡張プレートと、
上面視で前記拡張プレートの長手方向と略直交する方向に配置されるとともに前記拡張プレートの底面に固定され、一端が前記拡張プレートから突出し、前記角筒に挿入可能な連結バーと、
前記拡張プレートに取り付けられる拡張側締め具と、
を有し、
前記拡張プレートと前記拡張側締め具とによりメジャーテープの端部を挟み込んで保持する拡張側挟持手段を構成する、ことを特徴とする請求項１記載の墨出し補助器具。
【請求項３】
前記ガイドフレームが、前記第１締結ユニットと前記第２締結ユニットとの間に配置され、前記長フレーム部の底面に突設されるスペーサーを有し、
前記第１締結ユニットが有する前記締め具は、前記ベース体の上面に対して直立する方向に配置される狭持用ネジ軸、当該狭持用ネジ軸の上端部に取り付けられるハンドル、及び、当該狭持用ネジ軸が螺合する狭持用ネジ孔が形成され前記ベース体の上面に立設される逆Ｌ字型の支持部材により構成され、
前記拡張ユニットが有する前記拡張側締め具は、前記拡張プレートの上面に対して直立する方向に配置される拡張側ネジ軸、当該拡張側ネジ軸の上端部に取り付けられるハンドル、及び、当該拡張側ネジ軸が螺合する拡張側ネジ孔が形成され前記拡張プレートの上面に立設される逆Ｌ字型の支持部材により構成され、ることを特徴とする請求項２記載の墨出し補助器具。
【請求項４】
前記長フレーム部の断面形状が正方形状又は十字形状であり、
前記長フレーム部が挿入される前記挿通孔の形状が、前記長フレーム部の形状に対応して、正方形状又は十字形状であることを特徴とする請求項１ないし３のいずれか１項に記載の墨出し補助器具。
【発明の詳細な説明】
【技術分野】
【０００１】
本発明は、墨出し補助器具に関し、特に、建築物の基礎に締結され、メジャーテープの端部を挟み込んで保持する墨出し補助器具に関する。
【背景技術】
【０００２】
木造建築物の土木敷設工事の施工において、基礎の立ち上がり部の天端や、逆転スラブとも称されるスラブ基礎の上面に墨出しを行う場合には、墨出し用の目印を付ける位置を特定するための計測作業が行われる。かかる計測作業においてテープメジャーを用いる場合には、通例、一人の作業員が基準位置にメジャーテープの端部を手で押さえ付けて保持している間に、他の作業員がメジャーテープをゆるみ無く真っ直ぐに引き延ばして計測しながら墨出しのための目印を付けていく。
【０００３】
２名で行っていた墨出し作業を一人で実施することが可能な補助具として、例えば、特許文献１に開示される技術が知られている。
【先行技術文献】
【特許文献】
【０００４】
【特許文献１】特開２０１４−６５１３９号公報
【発明の概要】
【発明が解決しようとする課題】
【０００５】
２名がかりで実施されていたテープメジャーを用いた前記計測作業を単独で実施することができれば、工期の短縮や人件費の抑制等につながる。この点、特許文献１は、テープメジャーを用いた計測に対応可能な技術ではない。
【０００６】
上述の墨出し作業において、近年、レーザー墨出し器が用いられることがあるが、基礎の立ち上がり厚さ（巾）が狭い場合には、レーザー墨出し器を基礎の天端に載せて墨出しを行うことが困難であった。
【０００７】
本発明は、上記課題に鑑みてなされたものであり、墨出し用の目印を基礎に付けるためのテープメジャーを用いた計測作業を単独で実施することが可能であり、かつ、レーザー墨出し器の載置台としても利用可能な墨出し補助器具を提供することを目的とする。
【課題を解決するための手段】
【０００８】
本発明に係る墨出し補助器具は、
略水平に配置される長フレーム部と下方に延びる短フレーム部とを備えるガイドフレームと、
前記短フレーム部の下端に固定され、上面視で前記長フレーム部の長手方向と略直交する方向に沿って設けられる第１締結面を備える第１締結ユニットと、
前記長フレーム部に装着され前記長フレーム部に沿って摺動可能な第２締結ユニットと、を有し、
前記第１締結ユニットは、
前記短フレーム部の下端に固定され、前記第２締結ユニット側の側面に前記第１締結面が形成されるベース体と、
前記ベース体上面に固定され、一端が前記第１締結面側から突出する据付け片と、
前記ベース体に取り付けられる締め具と、
を有し、
前記第２締結ユニットは、
前記長フレーム部と略平行に配置される締結用ネジ軸と、
上端側に前記長フレーム部が摺動自在に挿入される挿通孔が形成され、下端側に前記締結用ネジ軸が螺合するネジ孔が設けられ、前記長フレーム部及び前記締結用ネジ軸に略直交して配置されるスライドアームと、
を有し、
前記ベース体と前記締め具とによりメジャーテープの端部を挟み込んで保持する挟持手段を構成する、ことを特徴とする。
【０００９】
前記墨出し補助器具は、前記第１締結ユニットに着脱自在に装着される拡張ユニット、
を有し、
前記第１締結ユニットは、
前記ベース体が、上面視で前記長フレーム部の長手方向と略直交する方向に開口する角筒を備えるとともに、
前記ベース体の上面から前記角筒の内部に向けて貫通する固定用ネジ孔と、
前記固定用ネジ孔に螺合するネジ部材と、
を有し、
前記拡張ユニットは、
長方形状の拡張プレートと、
上面視で前記拡張プレートの長手方向と略直交する方向に配置されるとともに前記拡張プレートの底面に固定され、一端が前記拡張プレートから突出し、前記角筒に挿入可能な連結バーと、
前記拡張プレートに取り付けられる拡張側締め具と、
を有し、
前記拡張プレートと前記拡張側締め具とによりメジャーテープの端部を挟み込んで保持する拡張側挟持手段を構成する、ものであっても良い。  
【００１０】
また、前記ガイドフレームが、前記第１締結ユニットと前記第２締結ユニットとの間に配置され、前記長フレーム部の底面に突設されるスペーサーを有し、
前記第１締結ユニットが有する前記締め具は、前記ベース体の上面に対して直立する方向に配置される狭持用ネジ軸、当該狭持用ネジ軸の上端部に取り付けられるハンドル、及び、当該狭持用ネジ軸が螺合する狭持用ネジ孔が形成され前記ベース体の上面に立設される逆Ｌ字型の支持部材により構成され、
前記拡張ユニットが有する前記拡張側締め具は、前記拡張プレートの上面に対して直立する方向に配置される拡張側ネジ軸、当該拡張側ネジ軸の上端部に取り付けられるハンドル、及び、当該拡張側ネジ軸が螺合する拡張側ネジ孔が形成され前記拡張プレートの上面に立設される逆Ｌ字型の支持部材により構成され、るものであっても良い。
【００１１】
さらに、前記墨出し補助器具は、
前記長フレーム部の断面形状が正方形状又は十字形状であり、
前記長フレーム部が挿入される前記挿通孔の形状が、前記長フレーム部の形状に対応して、正方形状又は十字形状であっても良い。
【発明の効果】
【００１２】
本発明によれば、墨出し用の目印を基礎に付けるためのテープメジャーを用いた計測作業を単独で実施することが可能であり、かつ、レーザー墨出し器の載置台としても利用可能な墨出し補助器具を提供することができる。本発明に係る墨出し補助器具によれば、第２締結ユニットがスライドアームの長フレーム部に対して摺動可能であり、様々な厚さの基礎に対して容易に装着して使用することができる。本発明は、例えば図４に示すとおり基礎のコーナー部以外の箇所にも装着して使用することができる。また、一般にメジャーテープにはその端部に引っ掛け用のフックやリングが設けられているものがあるが、本発明によればメジャーテープの端部を挟み込んで保持するので、当該フックやリングが設けられていないメジャーテープにも適用することができる。
【００１３】
従来のメジャーテープの端部を作業員が手で押さえ付けて保持する方法では、他の作業員がメジャーテープを引っ張ったときに、メジャーテープの端部が基準位置からズレてしまうことがあり、計測作業に時間を要し、煩雑であった。この点、本発明によれば、メジャーテープの端部を機械的に強固に保持することで、張力をかけたときのズレを防止できる。
【図面の簡単な説明】
【００１４】
【図１】第１形態である墨出し補助器具を示す正面図である。
【図２】図１に示す墨出し補助器具を示す図であり、（Ａ）は上面図、（Ｂ）は底面図、（Ｃ）は左側面図である。
【図３】図１に示す墨出し補助器具の実施例を示す図であり、（Ａ）は基礎への締結前の状態を側面方向から示した図、（Ｂ）は締結後の状態を側面方向から示した図、（Ｃ）は締結後の状態を上面方向から示した図であり、（Ｄ）はＤ−Ｄ線断面図である。
【図４】一実施の形態である拡張ユニットを示す図であり、（Ａ）は正面図、（Ｂ）は上面図、（Ｃ）は底面図、（Ｄ）は左側面図である。
【図５】図４に示す拡張ユニットが装着された墨出し補助器具の実施例を上面方向から示した図である。
【図６】図５に示す墨出し補助器具の他の使用例を上面方向から示した図であり、（Ａ）はガイドフレームに直交する方向を計測する場合の実施形態を示し、（Ｂ）はガイドフレームに平行な方向を計測する場合の実施形態を示す。
【図７】図４に示す拡張ユニットが組み付けられた墨出し補助器具の他の実施例を上面方向から示した図である。
【図８】図１及び図２に示す墨出し補助器具及び拡張ユニットの試作品を右側面方向から撮影した写真であり、（Ａ）は拡張ユニットを装着する前の状態を示し、（Ｂ）は拡張ユニットを装着した後の状態を示す。
【図９】第２形態である墨出し補助器具を示す図であり、（Ａ）は正面図、（Ｂ）は上面図である。
【図１０】図９に示す墨出し補助器具の実施例を示す図であり、（Ａ）は側面方向から示した図、（Ｂ）は上面方向から示した図である。
【図１１】第３形態である墨出し補助器具を示す図であり、（Ａ）は正面図、（Ｂ）は上面図、（Ｃ）は底面図であり、（Ｄ）は左側面図である。
【発明を実施するための形態】
【００１５】
以下、適宜図面を参照しつつ本発明を具体的に説明するが、本発明は図面に示す実施の形態に限定されるものではなく、本発明の要旨を変更しない限りにおいて適宜変更可能である。
【００１６】
図１は、第１形態である墨出し補助器具１を示す正面図である。図２（Ａ）は図１に示す墨出し補助器具１の上面図、（Ｂ）は底面図、（Ｃ）は左側面図である。図３は、図１に示す墨出し補助器具１の実施例を示す図である。墨出し補助器具１は、一般家屋等の建築物の基礎に締結された状態で使用され、計測用具であるメジャーテープの端部を挟み込んで保持することが可能な金属製の器具である。
【００１７】
墨出し補助器具１は、略水平に配置される長フレーム部２１と下方に延びる短フレーム部２２とを備えるガイドフレーム２と、短フレーム部２２の下端に固定され、上面視で長フレーム部２１の長手方向と略直交する方向に沿って設けられる第１締結面３１１を備える第１締結ユニット３と、長フレーム部２１に装着され長フレーム部２１に沿って摺動可能な第２締結ユニット４と、を有する。墨出し補助器具１は、固定側の第１締結ユニット３（第１締結面３１１）と可動側の第２締結ユニット４（第２締結面４２１）とにより基礎の立ち上がり部をその両側面から挟み付けることにより、基礎に対して着脱自在に締結される。以下、各構成要素につき詳細に説明する。
【００１８】
ガイドフレーム２は、略水平に配置される長フレーム部２１及び長フレーム部２１の一端に連設され下方に延びる短フレーム部２２を備え、本形態においては略Ｌ字型の部材である。長フレーム部２１は、短フレーム部２２より長尺である断面長方形状の部材であり、一端が短フレーム部２２に連設され、他端（基端部）にはスライドアーム抜け止め用の突起２３が設けられている。短フレーム部２２は、一端が長フレーム部２１に一体として設けられ、鉛直下方に向けて湾曲し、その下端（先端）には第１締結ユニット３が溶接固定されている。
【００１９】
第１締結ユニット３は、第１締結面３１１が形成されるベース体３１と、ベース体３１の上面に固定され一端が第１締結面３１１から突出する据付け片３４と、ベース体３１に取り付けられる締め具３３と、を有する。ベース体３１と締め具３３とによりメジャーテープＴの端部を挟み込んで保持する挟持手段が構成される。短フレーム部２２はベース体３１の長手方向中間部に溶接固定され、短フレーム部２２との固定箇所の両側の略対称位置に、締め具３３及び据付け片３４がそれぞれ設けられている。
【００２０】
本実施の形態においては、ベース体３１は、長方形状の鋼板３６と、断面ロ字状の角筒３２と、により構成される。鋼板３６及び角筒３２は、上面視で長フレーム部２１の長手方向と略直交する方向に沿って配置される。角筒３２は、鋼板３６の第２締結ユニット４側の側面に、それぞれの上面が面一となるように、溶接固定される。ベース体３１の第２締結ユニット４側の側面（本実施の形態においてはベース体３１を構成する角筒３２の第２締結ユニット４側の側面）が第１締結面３１１となる。
【００２１】
据付け片３４は、ベース体３１上面に固定され、一端が第１締結面３１１側から突出する角棒状の部材である。据付け片３４は、好ましくは、長フレーム部２１の長手方向と略平行に配置される角棒状の部材であり、かかる形状の据付け片によれば、後記実施例で述べるとおり、据付け片３４の先端がホールダウン金物（ホールダウンアンカー）やアンカーボルトを向くように墨出し補助器具１を基礎に締結しようとする場合の照準として利用することができる。
【００２２】
角筒３２の長手方向寸法は、好ましくは、図示するように鋼板３６の長手方向寸法と同一に設定される。締め具３３は、いずれも同様の構成であり、ベース体３１の上面に対して直立する方向に配置される狭持用ネジ軸３３１、狭持用ネジ軸３３１の上端部に取り付けられるハンドル３３２、及び、狭持用ネジ軸３３１が螺合する狭持用ネジ孔が形成されベース体の上面に立設される逆Ｌ字型の支持部材３３３により構成される。ハンドル３３２をつまんで軸回りに回転させることにより狭持用ネジ軸３３１が回転し、その回転方向に応じてベース体３１に向けて挟持用ネジ軸３３１を接近又は離間させることができる。狭持用ネジ軸３３１の下端がメジャーテープの押え部となっており、ベース体３１と締め具３３の当該押え部との間にメジャーテープＴの端部を挟み込んで保持することができる（図３（Ｄ）参照）。
【００２３】
第２締結ユニット４は、長フレーム部２１と略平行に配置される締結用ネジ軸４１と、長フレーム部２１及び締結用ネジ軸４１に略直交して配置されるスライドアーム４４と、を有する。スライドアーム４４の上端側には長フレーム部２１が摺動自在に挿入される挿通孔４４１が形成され、下端側には締結用ネジ軸４１が螺合するネジ孔４４２が設けられる。長フレーム部２１に対してスライドアーム４４を摺動させたとき、スライドアーム４４と一体として締結用ネジ軸４１が移動する。また、スライドアーム４４を静止させた状態で締結用ネジ軸４１を回転させたとき、締結用ネジ軸４１が移動する。
【００２４】
本実施の形態においては、締結用ネジ軸４１のうち第１締結ユニット３の側端部には押圧パッド４２が取り付けられ、その反対側の端部にはグリップ４３が取り付けられている。押圧パッ４２の押圧面（第１締結ユニット３側に配置される面）が、基礎の側面に当接する第２締結面４２１となる。
【００２５】
次に、図３に基づいて、墨出し補助器具１の実施例について説明する。図３（Ａ）は基礎のコーナー部近傍への締結前の状態を側面方向から示した図であり、同図（Ｂ）は締結後の状態を側面方向から示した図であり、同図（Ｃ）は締結後の状態を上面方向から示した図であり、同図（Ｄ）は同図（Ｃ）に示すＤ−Ｄ線を切断線とする断面図である。なお、基礎Ｂはコンクリート製の布基礎であるが、説明の便宜上、アンカーボルトやホールダウン金物は図示していない。
【００２６】
先ず、図３（Ａ）に示すように、基礎Ｂの立ち上がり部の一方の側面に第１締結面３１１を当接させるとともに基礎Ｂの天端に据付け片３４を載せた状態において、同図（Ａ）中矢印で示す方向にスライドアーム４４を動かし、基礎Ｂの他方の側面に第２締結面４２１を当接させる。第２締結ユニット４はスライドアーム４４に対して摺動自在であり、様々な厚さの基礎Ｂに対応することができる。次いで、グリップ４３をねじ回して基礎Ｂを押し込む方向に締結用ネジ軸４１を移動させることにより、第１締結ユニット３の第１締結面３１１と第２締結ユニット４の第２締結面４２１とにより基礎Ｂを両側面から挟み込んで締結する。据付け片３４はその突出部が基礎の天端（上面）に据え付けられることにより、ベース体３１の上面が基礎の天端（上面）と面一となるように配置される。
【００２７】
次に、同図（Ｄ）に示すように、ハンドル３３２を回してメジャーテープＴの端部を挟み込む方向に狭持用ネジ軸３３１を移動させることにより、ベース体３１と狭持用ネジ軸３３１（締め具３３）とによりメジャーテープＴの端部を挟み込んで保持する。作業員は、メジャーテープＴの一端を基礎Ｂに締結された墨出し補助器具１に挟み込んだ後、その他端を計測対象位置まで弛み無く真っ直ぐに引き延ばして、墨出し用の目印を付けるための計測作業を行うことができる。
【００２８】
上記各作業は、いずれも作業員が単独で行うことができる。すなわち、本発明によれば、墨出し用の目印を基礎に付けるためのテープメジャーを用いた計測作業を単独で実施することができる。また、本発明によれば、基礎の天端と面一にベースプレート３１を取り付けることができ、レーザー墨出し器の載置面を拡幅することができる。
【００２９】
なお、本発明に用いられるテープメジャーとしては、テープの最先端部をゼロ点（基準点、０ｍｍ点）とするものではなく、当該最先端部から所定の間隔を空けた位置にゼロ点が設定されたものが好適である。
【００３０】
墨出し補助器具１は、ガイドフレーム２、第１締結ユニット３、及び、第２締結ユニット４に加え、第１締結ユニット３に着脱自在に装着される拡張ユニット５、を有する。図４は、一実施の形態である拡張ユニット５を示す図であり、（Ａ）は正面図、（Ｂ）は上面図、（Ｃ）は底面図、（Ｄ）は左側面図である。
【００３１】
第１締結ユニット３は、ベース体３１が、上面視で長フレーム部２１の長手方向と略直交する方向に開口する角筒３２を備えている。すなわち、本実施の形態においては、角筒３２は、鋼板３６とともにベース体３１を構成し第１締結面３１１を形成するとともに、拡張ユニット５の装着手段として機能する。
【００３２】
拡張ユニット５は、長方形状の拡張プレート５１と、拡張プレート５１の底面に固定される連結バー５２と、拡張プレート５に取り付けられる拡張側締め具５３と、有する。拡張プレート５１と拡張側締め具５３とによりメジャーテープＴの端部を挟み込んで保持する拡張側挟持手段を構成する。拡張プレート５は、好ましくは、第１締結ユニット３に装着された状態において、ベース体３１の上面と拡張プレート５の上面が面一となる厚さに設定される。
【００３３】
拡張プレート５の長手方向中間部には、連結バー５２が固定されている。連結バー５２は、角筒３２に挿入可能な角棒状の部材であり、上面視で拡張プレート５の長手方向と略直交する方向に配置されるとともに、拡張プレート５１の底面に固定され、一端が拡張プレート５から突出している。
【００３４】
拡張側締め具５３は、いずれも締め具３３と同様の構成であり、拡張プレート５の上面に対して直立する方向に配置される拡張側ネジ軸５３１、拡張側ネジ軸５３１の上端部に取り付けられるハンドル５３２、及び、拡張側ネジ軸５３１が螺合する拡張側ネジ孔が形成され拡張プレート５の上面に立設される逆Ｌ字型の支持部材５３３により構成される。拡張側ネジ軸５３１の下端がメジャーテープの押え部となっており、ハンドル５３２を回転させることにより、拡張プレート５と当該押え部との間にメジャーテープＴの端部を挟み込んで保持することができる。
【００３５】
本実施の形態においては、第１締結ユニット３は、ベース体３１の上面から角筒３２の内部に向けて貫通する固定用ネジ孔と、固定用ネジ孔に螺合するネジ部材３５と、を有する。ネジ部材３５はいずれも蝶ボルトである。固定用ネジ孔は角筒３２の挿入口近傍に設けられており、ネジ部材３５を締め付けることにより、角筒３２に挿入された連結バー５２を固定することができる。
【００３６】
図５は、図４に示す拡張ユニット５が装着された墨出し補助器具１の実施例を上面方向から示した図である。なお、図５に示すガイドフレーム２、第１締結ユニット３、及び、第２締結ユニット４は、図１及び図２に示すものと同一の構成であるので同一の符号を付して説明を省略する。
【００３７】
拡張ユニット５は、拡張プレート５を上面側に配置した状態で、連結バー５２を角筒３２の一方の挿入孔に挿入し、ネジ部材３５を締め付けることにより、第１締結ユニット３に対して装着される。拡張ユニット５が装着された墨出し補助器具１は、図４に示すとおり、基礎のコーナー部以外の箇所（単独基礎等）に締結し、メジャーテープＴの端部を拡張側狭持手段により挟み込んで保持し、計測作業を行うことができる。
【００３８】
長フレーム部２１は基礎Ｂを横断するように配置されるが、略水平に配置された長フレーム部２１と基礎Ｂの天端との間には短フレーム部２２の長さに対応して隙間が設けられることから、長フレーム部２１の下側にメジャーテープＴを通すことができる。
【００３９】
本実施の形態においては、ガイドフレーム２は、第１締結ユニット３と第２締結ユニット４との間に配置され、長フレーム部２１の底面に突設されるスペーサー２４、を有する。スペーサー２４は、長フレーム部２１の底面のうち、墨出し補助器具１を基礎Ｂに締結した状態において第１締結ユニット３と第２締結ユニット４との間に配置される位置、即ち、基礎の天端（上面）に載置される位置に突設される（図１参照）。スペーサー２４は、基礎の天端（上面）に据付け片３４及びスペーサー２４を載置したとき長フレーム部２１が略水平に配置されるように、短フレーム部２２の下端（ベースプレート３１の上面）と同等の高さ位置まで鉛直下方に延びて設けられる。スペーサー２４を設けることにより、長フレーム部２１を略水平に配置しやすく、長フレーム部２１の下側にメジャーテープＴを通し易くするためのスペースを設けやすい。
【００４０】
図６は、図５に示す墨出し補助器具１の他の使用例を上面方向から示した図であり、（Ａ）はガイドフレーム２に直交する方向を計測する場合の実施例を示し、（Ｂ）はガイドフレーム２に平行な方向を計測する場合の実施例を示す。図示するように、基礎Ｂに対する墨出し補助器具１の締結位置を変えることなく、各方向の計測を行うことができる。
【００４１】
ところで、基礎の立ち上がり厚さ（巾）は、木造建築物であれば、１２０ミリメートルや１５０ミリメートルのように定められており、その厚さ（巾）方向の略中間部にはアンカーボルトＡやホールダウン金物Ｈが設けられている。図５や図６に示すように基礎Ｂの配設方向に沿って計測を行う場合には、アンカーボルトＡやホールダウン金物Ｈを避けてメジャーテープＴを引き延ばす必要がある。そこで、ベース体側の締め具３３や拡張側締め具５３は、基礎Ｂに墨出し補助器具１を装着したとき、基礎Ｂの厚さ方向の略中間部よりも壁面側にずれた位置に配置されるように設けられることが好ましい。
【００４２】
たとえば、前述の厚さの基礎Ｂに装着される墨出し補助器具１であれば、好ましくは、ベース体側の締め具３３が、ベース体３１に固定される短フレーム部２２の下端部からベース体３１の長手方向に向けて約６５ミリメートル離れた位置に狭持用ネジ軸３３１が配置される箇所に設けられる。また、拡張側締め具５３が、連結バー５２の固定部から拡張プレート５の長手方向に向けて約１１５ミリメートル離れた位置に拡張側ネジ軸５３１が配置される箇所に設けられる。また、更に好ましくは、据付け片３４が、ベース体３１に固定される短フレーム部２２の下端部からベース体３１の長手方向に向けて約１０５ミリメートル離れた位置に設けられる。かかる構成によれば、据付け片３４の先端を照準として据付け片３４の延長方向にアンカーボルトＡやホールダウン金物Ｈが配置されるように墨出し補助器具１を装着することにより、ベース体側の締め具３３や拡張側締め具５３を基礎Ｂの厚さ方向の略中間部よりも壁面側にずれた位置に配置することができ、アンカーボルトＡやホールダウン金物Ｈを回避しつつ、基礎Ｂの配設方向に沿ってメジャーテープＴを真っ直ぐに引き延ばすことができる。
【００４３】
図７は、図４に示す拡張ユニット５が組み付けられた墨出し補助器具１の他の実施例を上面方向から示した図である。拡張ユニット５は角筒３２のいずれの挿入口からでも装着可能であり、適宜、挿入口を入れ替えて装着することにより、様々な基礎の形状にも対応して使用することができる。拡張ユニット５と第１締結ユニット３との締結作業は、ネジ部材３５を締め付けるのみで実施でき簡便である。
【００４４】
図８は、図１及び図２に示す墨出し補助器具及び拡張ユニットの試作品を右側面方向から撮影した写真であり、（Ａ）は拡張ユニットを装着する前の状態を示し、（Ｂ）は拡張ユニットを装着した後の状態を示す。前述のガイドフレーム２及び第２締結ユニット４は、Ｌ型クランプ等の名称で販売されている締結用具を加工することにより容易に製作することができる。例えば、図７に示す試作品は、Ｌ型クランプの短フレーム部を切断し、当該切断部（短フレーム部の下端）に第１締結ユニットを溶接固定等することにより製作したものである。また、同図に示すベース体側の締め具及び拡張側締め具は、市販のハンドル式のクランプの受け部（ネジ軸先端に対向する部分）を切断加工して、プレートに溶接することにより製作したものである。なお、同図に示すように、挟持用ネジ軸や拡張側ネジ軸の下端には、メジャーテープとの接触面を拡張するためのカップ状の押圧体を設けるようにしても良い。
【００４５】
次に、第２形態である墨出し補助器具６について説明する。図９は、第２形態である墨出し補助器具６を示す図であり、（Ａ）は正面図、（Ｂ）は上面図である。図１０は、図９に示す墨出し補助器具６の実施例を示す図であり、（Ａ）は側面方向から示した図、（Ｂ）は上面方向から示した図である。なお、第１形態である墨出し補助器具１と共通する部品ないし部分については同一の符号を付して説明を省略する。
【００４６】
前述のとおり、基礎スラブの上面に墨付けを行ったりする際にテープメジャーを用いた計測作業を行う場合があるが、墨出し補助器具６によれば、アンカーボルトやホールダウン金物等の突出物が立設された基礎スラブに締結することができる。すなわち、墨出し補助器具６は、略水平に配置される長フレーム部７１と下方に延びる短フレーム部７２とを備えるガイドフレーム７を有するところ、長フレーム部７１の断面形状が正方形状であり、長フレーム部７１が挿入されるスライドアーム４５の挿通孔４５１の形状が長フレーム部７１の形状に対応して正方形状である。また、長フレーム部７１の基端部には、第１形態の長フレーム部２１とは異なり、スライドアーム抜け止め用の突起が設けられていない。従って、第２締結ユニット４を長フレーム部７１の基端部側から取り外し、図９に示すように、スライドアーム４５をガイドフレーム７の側方に配置されるように９０°時計回りに回転させた状態で当該基端部側から取り付けることができる。なお、スライドアーム４５の下端側には締結用ネジ軸４１が螺合するネジ孔４５２が設けられる。このように、スライドアームをガイドフレームの側方に配置されるように９０°時計回りに回転させた状態で取り付けることが可能な形状であれば、例えば、長フレーム部の断面形状を十字形状に形成するとともに、前記長フレーム部が挿入される前記挿通孔の形状を、前記長フレーム部の形状に対応して、十字形状に形成するようにしても良い。
【００４７】
墨出し補助器具６によれば、図１０に示すように、基礎Ｂの一方の側面に第１締結面３１１を当接させるとともに基礎Ｂの天端に据付け片３４を載せた状態において、スライドアーム４５及びグリップ４３を操作して、アンカーボルトＡ等の突出物に押圧パッド４６を押し付けることにより、基礎Ｂに対して墨出し補助器具６を締結することができる。次いで、ハンドル３３２を回してメジャーテープＴの端部を挟み込む方向に狭持用ネジ軸３３１を移動させることにより、メジャーテープＴの端部を挟み込んで保持することができる。これらの作業は、作業員が単独で行うことができる。
【００４８】
締結用ネジ軸４１に取り付けられる押圧パッド４６は、図示するように、第２締結面４６１側にＶ字状の縦溝を有するものであっても良い。当該溝部にアンカーボルトＡ等の突出物を嵌め込むことで、基礎Ｂに対して墨出し用補助器具６を強固に締結することができる。また、墨出し補助器具６によれば、長フレーム部７１に対してスライドアーム４５を前記第１形態のごとく取り付けることにより、前記第１形態と同様の使用方法を実現することができる。
【００４９】
図１１は、第３形態である墨出し補助器具を示す図であり、（Ａ）は正面図、（Ｂ）は上面図、（Ｃ）は底面図であり、（Ｄ）は左側面図である。なお、第１形態である墨出し補助器具１と共通する部品ないし部分については同一の符号を付して説明を省略する。
【００５０】
第３形態である墨出し補助器具８は、ベース体８１が、短フレーム部２２の下端に固定され、第２締結ユニット４側の側面に第１締結面８１１が形成される点は第１形態のベース体３１と同様であるが、ベース体８１は、ベース体３１とは異なり、直角に折り曲げられたアングル鋼８６と角筒８２とにより構成される。アングル鋼８６は、据付け片３４や締め具３３が取り付けられる上面部と、第１締結面８１１を形成する側面部とを備える。角筒８２は当該上面部の底面に固定される。かかる形態によれば、当該側面部を拡張して基礎に接する第１締結面８１１を大きくすることで、墨出し補助器具８を基礎に対して安定して装着することができる。
【００５１】
本発明は、上記実施の形態ないし実施例に限定されず、その発明の趣旨を逸脱しない範囲で種々変形実施が可能である。例えば、前記実施の形態においては、いずれも基礎の配設方向に沿ってメジャーテープを引き延ばして計測しているが、ベース体側の締め具３３および拡張側締め具５３は、いずれもメジャーテープを挟み込んで保持する機構であるから、これに限られることなく、対角線方向等任意の角度方向の計測にも適用することができる。また、据付け片３４，締め具３３、５３の個数は各２個に限らず、任意に増減可能である。
【００５２】
また、締め具３３及び拡張側締め具５３の構成は一例に過ぎず、例えば、バイスプライヤや各種クランプを締め具として用いることもできる。例えば、締め具３３に変えて、ベース体の鋼板３６（第３形態の場合にはアングル鋼８６の上面部）に対してバイスプライヤ（図示しない）の顎部を挟み付けて取り付けることにより、ベース体と締め具としてのバイスプライヤとによりメジャーテープの端部を挟み込んで保持する挟持手段を構成し、バイスプライヤを開閉操作して上側顎部と鋼板上面（又はアングル鋼の上面部）との間にメジャーテープの端部を挟み込んで保持するようにしても良い。同様に、拡張側締め具５３に変えて、拡張プレート５１に対してバイスプライヤ（図示しない）の顎部を挟み付けて取り付けることにより、拡張プレートと拡張側締め具としてのバイスプライヤとによりメジャーテープの端部を挟み込んで保持する拡張側挟持手段を構成するようにしても良い。
【産業上の利用可能性】
【００５３】
本発明は、建築物の施工において基礎に墨出しを行う際に適用することができるが、墨出し作業の局面に限られることなく、基礎やアンカーボルト等の工作物が所定の位置に設置されているか確認するための計測作業をメジャーテープを用いて行う際にも利用することができる。
【符号の説明】
【００５４】
１        墨出し補助器具（第１形態）
２        ガイドフレーム
２１      長フレーム部
２２      短フレーム部
２４      スペーサー
３        第１締結ユニット
３１      ベース体
３１１    第１締結面
３２      角筒
３３      締め具  
３４      据付け片
３６      鋼板
４        第２締結ユニット
４１      締結用ネジ軸
４２１    第２締結面
４４      スライドアーム
４５      スライドアーム
５        拡張ユニット
５１      拡張プレート
５２      連結バー
５３      拡張側締め具
６        墨出し補助器具（第２形態）
７        ガイドフレーム
７１      長フレーム部
８        墨出し補助器具（第３形態）
８１      ベース体
８１１    第１締結面
８２      角筒
８６      アングル鋼
Ｂ        基礎
Ａ        アンカーボルト
Ｈ        ホールダウン金物
Ｔ        メジャーテープ
【要約】
【課題】墨出し用の目印を基礎に付けるためのテープメジャーを用いた計測作業を単独で実施することが可能であり、かつ、レーザー墨出し器の載置台としても利用可能な墨出し補助器具を提供する。
【解決手段】墨出し補助器具１は、ガイドフレーム２と、短フレーム部２２の下端に固定され、第１締結面３１１を備える第１締結ユニット３と、長フレーム部２１に装着され長フレーム部２１に沿って摺動可能な第２締結ユニット４とを有する。第１締結ユニット３はベース体３１と据付け片３４と締め具３３とを有し、第２締結ユニット４は締結用ネジ軸４１とスライドアーム４４とを有する。墨出し補助器具１は、固定側の第１締結ユニット３（第１締結面３１１）と可動側の第２締結ユニット４（第２締結面４２１）とにより基礎をその両側面から挟み付けることにより、基礎に対して着脱自在に締結される。
【選択図】図１【図１】
0006957072.tif 000002
【図２】
0006957072.tif 000003
【図３】
0006957072.tif 000004
【図４】
0006957072.tif 000005
【図５】
0006957072.tif 000006
【図６】
0006957072.tif 000007
【図７】
0006957072.tif 000008
【図８】
0006957072.tif 000009
【図９】
0006957072.tif 000010
【図１０】
0006957072.tif 000011
【図１１】
0006957072.tif 000012